(57)【要約】【課題】取り出し口の開封が容易で、収納したごみ袋などのプラスチック袋を容易に一枚ずつの取り出すことができ、しかも保管や取扱いの容易なプラスチック製外装袋及びそれからなる包装体を提供すること。【解決手段】複数枚のプラスチック袋２を収納するためのプラスチック製外装袋１において、該外装袋１には底辺６の中央付近に、底辺６を起点及び終点とし、内側に向かって設けられた取り出し口形成用のミシン目３と、底辺６中央付近から各側辺に向かって斜め方向に形成されたシール線４、４’、及び該シール線４、４’と底辺６、側辺７とで形成される領域に設けられた少なくとも一つのフック穴８を有していることを特徴とするプラスチック製外装袋１。【選択図】  図１
2005306409.tif 000002
【特許請求の範囲】
【請求項１】
複数枚のプラスチック袋２を収納するためのプラスチック製外装袋１において、該外装袋１には底辺６の中央付近に、底辺６を起点及び終点とし、内側に向かって設けられた取り出し口形成用のミシン目３と、底辺６中央付近から各側辺に向かって斜め方向に形成されたシール線４、４’、及び該シール線４、４’と底辺６、側辺７とで形成される領域に設けられた少なくとも一つのフック穴８を有していることを特徴とするプラスチック製外装袋１。
【請求項２】
ミシン目３が略半円形を描くように設けられていることを特徴とする請求項１記載のプラスチック製外装袋１。
【請求項３】
請求項１又は２記載のプラスチック製外装袋１に複数枚のプラスチック袋２を収納してなる包装体。
【発明の詳細な説明】
【技術分野】
【０００１】
本発明は、取り出し口の開封が容易で、保管や取扱いが便利な、特に収納したごみ袋などのプラスチック袋を容易に一枚ずつの取り出すことができるプラスチック製外装袋及びそれからなる包装体に関する。
【背景技術】
【０００２】
ごみ袋などのプラスチック袋は、複数枚を束にしてプラスチック製の外装袋や直方体の紙製ケースに収納された状態で販売されている。
プラスチック製の外装袋を収納容器として使用する場合、一般にプラスチック製の外装袋の底辺側の両面を略半円形に切り取って取り出し口が形成できるるようにミシン目が設けられている。
そして、ユーザーは、まずミシン目に沿ってフィルムを切除して取り出し口を形成し、次いで、取り出し口からプラスチック袋を指でつまんで引っ張り出して使用していた。
ところが、取り出し口を形成するためには、外装袋のミシン目付近のフィルムを引っ張ってミシン目を切断するのであるが、外装袋の内部にプラスチック袋が隙間なく一杯に詰め込まれているので、ミシン目付近の外装袋だけを引っ張ろうとしても収納されているプラスチック袋も同時に引っ張ってしまい、取り出し口の形成することが困難であった。また、プラスチック袋を一枚だけ取り出そうとしても、プラスチック袋を一枚だけに分離することが困難で、意に反して複数枚のプラスチック袋を取り出してしまうことがあった。
さらに、外装袋に形成される取り出し口が中のプラスチック袋よりも小さいため取り出す際にプラスチック袋との摩擦によって外装袋の取り出し口付近から破れ易く、収納されているプラスチック袋を使い切る前に外装袋としての用をなさなくなるという問題があった。
【０００３】
一方、直方体の紙製ケースにプラスチック袋を一部重ね合わせながらロール状に巻き取ったり、あるいはプラスチック袋を二つ折り状にし上下に隣り合うもの同士を互いに対向状に指し違わせた状態で収納する方法（特許文献１）の場合、収納されているプラスチック袋容易に一枚ずつ取り出せ、更に、美麗な印刷などが行えるという利点はあるもののプラスチック製の外装袋と比較するとかなり高価であり、また、輸送や保管時につぶれたりする事があるという問題があった。
【特許文献１】実開昭６０−１６３２７５号
【発明の開示】
【発明が解決しようとする課題】
【０００４】
本発明は、取り出し口の開封が容易で、収納したごみ袋などのプラスチック袋を容易に一枚ずつの取り出すことができ、しかも保管や取扱いの容易なプラスチック製外装袋及びそれからなる包装体を提供することを目的とする。
【課題を解決するための手段】
【０００５】
本発明者らは鋭意検討を行った結果、プラスチック製外装袋の取り出し口付近に斜めのシール線を設け、かつ該シール線４、４’と底辺６、側辺７とで形成される領域にフック穴を設けることに上記課題が解決されることを見いだし本発明に至った。
即ち、本発明によれば、
（１）複数枚のプラスチック袋２を収納するためのプラスチック製外装袋１において、該外装袋１には底辺６の中央付近に、底辺６を起点及び終点とし、内側に向かって設けられた取り出し口形成用のミシン目３と、底辺６中央付近から各側辺に向かって斜め方向に形成されたシール線４、４’、及び該シール線４、４’と底辺６、側辺７とで形成される領域に設けられた少なくとも一つのフック穴８を有していることを特徴とするプラスチック製外装袋１。
（２）ミシン目３が略半円形を描くように設けられていることを特徴とする（１）記載のプラスチック製外装袋１。
（３）（１）又は（２）記載のプラスチック製外装袋１に複数枚のプラスチック袋２を収納してなる包装体が提供される。
【発明の効果】
【０００６】
本発明のプラスチック製外装袋１は、取り出し口付近に設けた斜めのシール線４、４’が、収納したプラスチック袋２が取り出し口に近づくに従って取り出し口の大きさの幅にするようなガイドの役割を果たすのでプラスチック袋２を容易に取り出すことができるばかりでなく、取り出し口付近の底辺６がやぶれるのを防止することができる。更に、斜めのシール線４、４’を設けた所がプラスチック袋２の詰まっていない隙間部分になるので従来困難であった取り出し口の形成が容易になり、収納したプラスチック袋２を確実に一枚ずつ取り出すことが可能となるのである。
また、フック穴８を設けているので壁面に掛けた状態で保管したりプラスチック袋２の取り出しが可能であるという利便性も有している。更にまた、プラスチック製外装袋からプラスチック袋２を全て取り出した後は、壁面等に掛けたままでごみなどを収納する袋として使用することも可能である。
【発明を実施するための最良の形態】
【０００７】
本発明のプラスチック製外装袋１には、低密度ポリエチレン、高密度ポリエチレン、直鎖状低密度ポリエチレン、ポリプロピレンなどの熱シールが可能なプラスチックが用いられる。これらのプラスチックは単独あるいは複数混合して使用しても良いし、単層であっても、多層でも良い。
これらのプラスチックをフィルム化する方法としては、インフレーション法やキャスト法など公知の方法を用いて行えばよい。
【０００８】
上記方法で得られたプラスチックフィルムを袋状に加工する方法としては、インフレーション法で得られたチューブ状フィルムを適宜長さに切断し、両端の開口部をシールしても良い。また、一枚の矩形のフィルムを半分に折り重ね山折り部以外の三辺をシールしても良いし、二枚の矩形のフィルムを重ねて四辺をシールしても良い。
【０００９】
また、プラスチック製外装袋１の表面には必要に応じて、収納しているプラスチック袋２の規格や入り数などの印刷が施されていても良い。
【００１０】
以下、本発明を図面に従って説明する。
図１は本発明のプラスチック製外装袋１にプラスチック袋２を収納した包装体の一例を示す概略正面図である。
【００１１】
本発明のプラスチック製外装袋１には、底辺６の中央付近に、底辺６を起点及び終点とし、内側に向かって取り出し口形成用のミシン目３が設けられている。ミシン目３で囲まれた領域、すなわち取り出し口として切り取られる領域の大きさは、収納しているプラスチック袋２を一枚ずつ取り出せる程度であれば特に限定されない。またその形状は、通常フィルム破断の始点となり易いコーナー部分を持たない略半円形とすることが多いが、三角形や四角形でも特に差し支えない。
【００１２】
更に、本発明のプラスチック製外装袋１には底辺６中央付近から各側辺に向かって斜め方向に形成されたシール線４、４’を有している。
シール線４、４’の形状は全体として線状の外観を有していれば、点状や波線状であってもよく、また、本発明の効果を妨げない限りにおいて、シール線４、４’を直線状でなく曲線状とすることも可能である。
【００１３】
また、シール線４、４’は上述したミシン目３を切り取って形成した取り出し口を中心にして逆ハの字型に形成して収納しているプラスチック袋２を取り出す際のガイドの役割を果たすこと、及び取り出し時に取り出し口付近の底辺６や底シール５が破れるのを防止する機能を有していることが肝要であって、図１に示すようにシール線４、４’の先端同士が底辺６や、底シール５上で重なるように形成することも可能であるがこれに限定されるものでなく、各々のシール線４、４’が取り出し口の両端まで達するように離れて形成することもすることももちろん可能である。更に、当該シール線４、４’の各側辺７側の先端も側辺７に達するまで設けることも可能であるが、側辺７からプラスチック製外装袋１の内側に離すように形成することも可能である。
【００１４】
そして、シール線４、４’の側辺７側先端部の底辺６から距離ｄは概ね１０〜５０ｍｍとすることが好ましい。
距離ｄが１０ｍｍ未満の場合は、プラスチック外装袋１と収納したプラスチック袋２との間に十分な隙間が形成されないので、ミシン目３を設けた部分にまでプラスチック袋２が入り込むことになってミシン目３の切断が困難になり、さらにプラスチック袋２を一枚づつ取り出すことも困難となる。
一方、５０ｍｍを超える距離ｄとした場合は収納しているプラスチック袋２の大きさ（折りたたまれている場合は折りたたんだ状態の大きさ）に比べてプラスチック製外装袋１が必要以上に大きくなり好ましくない。
【００１５】
更に、本発明のプラスチック製外装袋１には、シール線４、４’と底辺６、側辺７とで形成される領域に少なくとも一つのフック穴８を設けることが必要である。フック穴８は、収納しているプラスチック袋２と底辺６との間に形成される空隙のうちシール線４又は４’で隔てられた外側、すなわち側辺７、底辺６側に設けられているのでプラスチック袋２が一杯に収納された状態であっても壁面等に設けたフックに吊り下げて保管すること、吊り下げた状態のままで取り出すことが可能となるのである。一方、図示していないが斜めのシール線４、４’を設けていないプラスチック製外装袋１にフック穴を設けた場合は穴が空いていても中に入れた袋が存在するので吊り下げできないばかりか、吊すことができたとしても取り出す際にフックにプラスチック袋２が当たって取り出しにくいという問題が生じる。
なお、フック穴８の個数については特に制限はないが、片側に１個か、両側に１個ずつの２個のいずれかにするのが一般的である。
【００１６】
本発明の包装体は図１に示したとおりプラスチック製外装袋１に複数のプラスチック袋２を収納したものである。プラスチック袋２を収納する方法としては、現在市販されているプラスチック袋と同様で何ら特別な方法を用いる必要はない。小さなプラスチック袋２では所定の枚数を平積みしてプラスチック製外装袋１に収納すれば良いし、大きなプラスチック２袋では所定の枚数を平積みした後に全体を半分に折り畳み、折り畳んだ山折り線がプラスチック製外装袋１の底辺６に平行に隣接するように収納すれば良い。また、ごみ袋の様により大きなプラスチック袋２では所定幅に折り畳んだ後所定の枚数を平積みし、所定の幅を保つようにもう一度全体を半分に折り畳み、折り畳んだ山折り線がプラスチック製外装袋１の底辺６に平行に隣接するように収納すれば良い。
【産業上の利用可能性】
【００１７】
本発明のプラスチック製外装袋１は、ごみ袋の収納用途のみならず、日常、よく使用するのでわかりやすいところに置いておく必要がある多数のプラスチック袋２を収納した包装体用途に好適に適用することができる。
【図面の簡単な説明】
【００１８】
【図１】本発明の袋収納用プラスチック製外装袋１の一例を示す正面の概略図である。
【符号の説明】
【００１９】
１    プラスチック製外装袋
２    プラスチック袋
３    ミシン目
４    シール線
４’  シール線
５    底シール
６    底辺
７    側辺
８    フック穴
ｄ    シール線４、４’の側辺７側先端部から底辺６までの距離
【図１】
2005306409.tif 000003